(57)【要約】【課題】各ディスクに対応可能なディスク装置を提供する。【解決手段】ディスク４００に対してレーザ光を照射させることで、ディスク４００に対しデータの読み書きが可能とされたピックアップ装置１０，２０を備え、ディスク４００が収容されるディスク装置本体１５０に、複数のピックアップ装置１０，２０が装備された。二つの前記ピックアップ装置１０，２０が、前記ディスク装置本体１５０内に配設された。複数の前記ピックアップ装置１０，２０は、第一ピックアップ装置１０と、第二ピックアップ装置２０とされ、第一ピックアップ装置１０と、第二ピックアップ装置２０とは、前記ディスク４００の半径方向に沿って移動可能とされ、前記ディスク装置本体１５０が平面視されたときに、第一ピックアップ装置１０の移動方向に対し、第二ピックアップ装置２０の移動方向は、異なる方向に設定された。【選択図】図１
2006099818.tif 000002
【特許請求の範囲】
【請求項１】
ディスクに対してレーザ光を照射させることで、該ディスクに対しデータの読み書きが可能とされたピックアップ装置を備え、
該ディスクが収容されるディスク装置本体に、複数の該ピックアップ装置が装備されたことを特徴とするディスク装置。
【請求項２】
二つの前記ピックアップ装置が、前記ディスク装置本体内に配設されたことを特徴とする請求項１記載のディスク装置。
【請求項３】
複数の前記ピックアップ装置は、第一ピックアップ装置と、第二ピックアップ装置とされ、
該第一ピックアップ装置と、該第二ピックアップ装置とは、前記ディスクの半径方向に沿って移動可能とされ、
前記ディスク装置本体が平面視されたときに、該第一ピックアップ装置の移動方向に対し、該第二ピックアップ装置の移動方向は、異なる方向に設定されたことを特徴とする請求項１又は２記載のディスク装置。
【請求項４】
複数の前記ピックアップ装置は、第一ピックアップ装置と、第二ピックアップ装置とされ、
該第一ピックアップ装置と、該第二ピックアップ装置とは、前記ディスクの半径方向に沿って移動可能とされ、
前記ディスク装置本体が平面視されたときに、該第一ピックアップ装置の移動方向と、該第二ピックアップ装置の移動方向とは、同一方向に設定されたことを特徴とする請求項１又は２記載のディスク装置。
【発明の詳細な説明】
【技術分野】
【０００１】
本発明は、例えばパーソナルコンピュータ（Personal Computer ）に装備可能なディスク装置に関するものである。
【背景技術】
【０００２】
図３は、従来のディスク装置の一形態を示すものである。
【０００３】
ディスク装置６００が用いられて、ディスク（図示せず）のデータが読み出される。また、ディスク装置６００が用いられて、不図示のディスクにデータが記録される。ディスクに記録されたデータが読み出されるときに、レーザ光を出射するピックアップ装置５１０が用いられる。また、ディスクにデータを記録するときに、レーザ光を出射するピックアップ装置５１０が用いられる。ディスクとして、例えば、ＣＤ（コンパクトディスク）、ＤＶＤ（デジタルバーサティルディスク／デジタルビデオディスク）などが挙げられる。「ＣＤ」は、「Compact Disc」の略称とされる。また、「ＤＶＤ」は、「Digital Versatile Disc」もしくは「Digital Video Disc」の略称とされる。
【０００４】
ディスク装置６００を構成する筐体６２０に対し、出入り自在とされたトレー８００が用いられて、ディスク装置６００内にディスクが収容される。また、ディスク装置６００を構成する筐体６２０内に、ディスクを回転させるディスクドライブ装置５３０が収納されている。また、ディスクのデータを読み取ったり、ディスクにデータを記録させたりするピックアップ装置５１０が、ディスク装置６００を構成する筐体６２０内に装備されている。筐体６２０にカバー６３０が装着されて、ディスク装置６００が組み立てられる。
【０００５】
ディスクとして、例えば、ＣＤ−ＲＯＭ，ＤＶＤ−ＲＯＭなどの読出し専用のディスクや、ＣＤ−Ｒ，ＤＶＤ±Ｒなどの追記型のディスクや、ＣＤ−ＲＷ，ＤＶＤ±ＲＷ，ＤＶＤ−ＲＡＭなどの書込み／消去や書換え可能なタイプのディスクなどが挙げられる。
【０００６】
「ＣＤ−ＲＯＭ」もしくは「ＤＶＤ−ＲＯＭ」の「ＲＯＭ」は、「Read Only Memory」の略称とされ、ＣＤ−ＲＯＭもしくはＤＶＤ−ＲＯＭは、データ読出し専用のものとされている。また、「ＣＤ−Ｒ」または「ＤＶＤ±Ｒ」の「Ｒ」は、「Recordable」の略称とされ、ＣＤ−ＲまたはＤＶＤ±Ｒは、データの書込みが可能なものとされている。また、「ＣＤ−ＲＷ」または「ＤＶＤ±ＲＷ」の「ＲＷ」は、「ReWritable」の略称とされ、ＣＤ−ＲＷまたはＤＶＤ±ＲＷは、データの書換えが可能なものとされている。また、「ＤＶＤ−ＲＡＭ」は、「Digital Versatile Disc Random Access Memory 」の略称とされ、データの読み書き・消去が可能なものとされている。
【０００７】
また、従来のディスク装置に関するものとして、例えば対物レンズに入射する光ビームが切り替えられる際に光量のロスが無く、ビームの切替えが容易とされ、角度変化が伴われることなく、一つの対物レンズ駆動装置が用いられて、容易に複数の種類の光ディスクに対応できる光ピックアップというものがある（例えば特許文献１参照）。
【特許文献１】特開平９−１７００５号公報（第１，４頁、図１〜図２１）
【発明の開示】
【発明が解決しようとする課題】
【０００８】
近年、ディスクの規格は、多様化される傾向にある。上述した如く、ディスクとして、例えば、ＣＤ−ＲＯＭ，ＣＤ−Ｒ，ＣＤ−ＲＷ，ＤＶＤ−ＲＡＭ，ＤＶＤ−ＲＷ，ＤＶＤ＋ＲＷなどの各種ディスクが挙げられる。また、ＨＤ−ＤＶＤ，Blu-ray Discなどのディ
スクも提案されている。
【０００９】
「ＨＤ−ＤＶＤ」は、「High Definition DVD 」の略称とされている。「ＨＤ−ＤＶＤ」は、従来のＤＶＤ系列のものと互換性をもたせ、且つ、従来のＤＶＤ系列のディスクよりも記憶容量の大きいものとされている。従来のＣＤやＤＶＤには、赤色のレーザが用いられていたが、ＨＤ−ＤＶＤのディスクに記録されたデータが読み出されるときには、青紫色のレーザが用いられる。また、「Blu-ray 」とは、従来のＣＤやＤＶＤで信号の読み書きに用いられていた赤色のレーザに対し、高密度記録が実現されるために採用された青紫色のレーザを意味する。
【００１０】
しかしながら、このようにディスクの種類が多様化されると、全ての種類のディスクに対応した単一のピックアップ装置（５１０）を構成させることは、困難なこととされる。また、全ての種類のディスクに対応した単一のピックアップ装置（５１０）は、現時点において、設計、製造などの点において困難なものとされていることから、価格が高いものとなり易い。このことから、価格が高いピックアップ装置（５１０）がディスク装置（６００）に装備された場合、そのディスク装置（６００）は、価格の高いものとされることが懸念されていた。
【００１１】
また、ディスク装置６００を高機能化させるために、ディスク装置６００を構成するピックアップ装置５１０は、より高性能なものとされることが要求されている。例えば、ＣＤ−Ｒ，ＣＤ−ＲＷ，ＤＶＤ±Ｒ，ＤＶＤ−ＲＡＭなどのディスクにデータを書き込んだり、前記ディスクのデータを書き換えたりするときに、ピックアップ装置５１０を構成するレーザダイオード（図示せず）から高出力のレーザ光が出射される。このとき、ピックアップ装置５１０を構成する不図示のレーザダイオードの温度は、上昇する。
【００１２】
例えば、ディスクに対する通常のデータ読取り速度に対し、８倍速、１２倍速、１６倍速、……といったはやい速度で、ディスクにデータが記録される場合、レーザダイオードから高いエネルギのレーザ光線が出射される。このとき、レーザダイオードの温度が上昇すると、予め定められたレーザ光の波長と異なる波長のレーザ光が、レーザダイオードから出射される。このようなことが発生すると、ディスクに低品質のデータ記録が行われることが懸念されていた。
【００１３】
また、ディスク装置６００が用いられて、ディスクに記録されたデータの読取りが行われるときに、ディスク装置６００にデータ読取りエラーが発生しないことが市場から渇望されている。このため、例えば振動対策が行われたディスク装置６００が、市場から要求されている。また、ディスク装置６００の小型化が、市場から求められている。また、近年、可変速再生や逆再生などのトリック再生機能などを備えたディスク装置６００が市場から要望されている。さらに、より高付加価値のあるディスク装置６００が市場から要求されつつある。
【００１４】
本発明は、上記した問題点を解決することにある。本発明は、上記した点に鑑み、各ディスクに対応可能なディスク装置を提供することを目的とする。
【課題を解決するための手段】
【００１５】
上記目的を達成するために、本発明の請求項１に係るディスク装置は、ディスクに対してレーザ光を照射させることで、該ディスクに対しデータの読み書きが可能とされたピックアップ装置を備え、該ディスクが収容されるディスク装置本体に、複数の該ピックアップ装置が装備されたことを特徴とする。
【００１６】
上記構成により、各ディスクに対応可能なディスク装置が構成される。ディスクが収容
されるディスク装置本体に、複数のピックアップ装置が装備されているので、多くの機能が一つのピックアップ装置に集約されるということは回避される。従って、各機能は、各ピックアップ装置に分散される。例えば、複数の単波長のピックアップ装置がディスク装置内に装備されることにより、複数のディスクに対応したディスク装置が構成される。これにより、各ディスクに対応可能なディスク装置が提供される。また、このディスク装置は、複数のピックアップ装置を備えるものとされているので、例えばピックアップ装置から発せられた熱により、ピックアップ装置から出射されるレーザ光の波長が変化するということも、防止され易くなる。一ピックアップ装置や、他のピックアップ装置といった複数のピックアップ装置を備えるディスク装置とされているので、例えば使用中の一ピックアップ装置の温度が上昇し、定められた波長と異なる波長のレーザ光が一ピックアップ装置から発せられようとした場合、使用されていない他のピックアップ装置からレーザ光を出射させる。従って、他のピックアップ装置から、定められた波長のレーザ光が出射される。これにより、高品質な記録が可能とされたディスク装置が提供される。また、複数のピックアップ装置を備えるディスク装置とされているので、例えばディスクに対するデータエラーが生じても、容易にデータエラーの回復が行われる。例えば、一ピックアップ装置が用いられてディスクのデータの読取り作業が行われているときに、一ピックアップ装置にデータの読取りエラーが発生しても、他のピックアップ装置にてデータ読取りを行うことが可能とされているので、一ピックアップ装置における読取りエラーは、他のピックアップ装置により回復される。また、複数のピックアップ装置を備えるディスク装置とされていることから、可変速再生や逆再生などのトリック再生も実行可能なディスク装置となる。また、複数のピックアップ装置を備えるディスク装置とされているので、ディスクに対する多くのデータ処理を略同時に行うことも可能とされる。また、複数のピックアップ装置を備えるディスク装置とされていることから、ディスクにおける多くのチャンネル分のデータが利用可能とされる。
【００１７】
請求項２に係るディスク装置は、請求項１記載のディスク装置において、二つの前記ピックアップ装置が、前記ディスク装置本体内に配設されたことを特徴とする。
【００１８】
上記構成により、価格が抑えられたディスク装置の提供が可能となる。全ての種類のディスクに対応した単一のピックアップ装置は、設計、製造などの点において困難なものとされていることから、価格が高いものとなり易い。しかしながら、三つ以上のピックアップ装置がディスク装置に装備される場合、部品点数が増加すること等から、ディスク装置の価格を低い価格に抑えることは、困難なこととされる。二つのピックアップ装置が、ディスク装置本体内に配設されることにより、各種ディスクに対応可能とされたディスク装置が構成されると共に、価格が抑えられたディスク装置が提供される。また、二つのピックアップ装置がディスク装置本体内に配設されているので、例えば一つのピックアップ装置だけを備えるディスク装置に比べ、２倍のデータ処理を同時に行うことが可能とされたディスク装置となる。また、二つのピックアップ装置を備えるディスク装置とされていることから、例えばディスクに記録された２チャンネル分のデータは、同時に利用可能となる。
【００１９】
請求項３に係るディスク装置は、請求項１又は２記載のディスク装置において、複数の前記ピックアップ装置は、第一ピックアップ装置と、第二ピックアップ装置とされ、該第一ピックアップ装置と、該第二ピックアップ装置とは、前記ディスクの半径方向に沿って移動可能とされ、前記ディスク装置本体が平面視されたときに、該第一ピックアップ装置の移動方向に対し、該第二ピックアップ装置の移動方向は、異なる方向に設定されたことを特徴とする。
【００２０】
上記構成により、ディスク装置が甚だしく大型化されることは回避され、ディスク装置の大きさは、小型化された大きさのものとして維持される。ディスク装置本体が平面視さ
れたときに、第一ピックアップ装置の移動方向に対し、第二ピックアップ装置の移動方向を異なる方向に設定することで、ディスク装置の設計の自由度は、向上する。これにより、ディスク装置の大きさが甚だしく大型化されることは回避され、定められた大きさのディスク装置が構成される。また、このようにすることで、例えばディスク回動時に発生する空気流が、ディスク装置本体内で循環され易くなることも期待される。
【００２１】
請求項４に係るディスク装置は、請求項１又は２記載のディスク装置において、複数の前記ピックアップ装置は、第一ピックアップ装置と、第二ピックアップ装置とされ、該第一ピックアップ装置と、該第二ピックアップ装置とは、前記ディスクの半径方向に沿って移動可能とされ、前記ディスク装置本体が平面視されたときに、該第一ピックアップ装置の移動方向と、該第二ピックアップ装置の移動方向とは、同一方向に設定されたことを特徴とする請求項１又は２記載のディスク装置。
【００２２】
上記構成により、ディスクに伝達される有害な振動は、軽減される。ディスク装置本体が平面視されたときに、第一ピックアップ装置の移動方向と、第二ピックアップ装置の移動方向とが同一方向に設定されている場合、例えばディスクを回動させるディスクドライブ装置は、第一ピックアップ装置と、第二ピックアップ装置との略中心に位置するレイアウト構造のものとなる。このようにすることで、ディスク装置本体内における各ピックアップ装置の配置構造は、バランスのとれたものとなる。従って、振動対策が行われたディスク装置の提供が可能となる。
【発明の効果】
【００２３】
以上の如く、請求項１記載の発明によれば、各ディスクに対応可能なディスク装置が構成される。ディスクが収容されるディスク装置本体に、複数のピックアップ装置が装備されているので、多くの機能が一つのピックアップ装置に集約されるということは回避される。従って、各ピックアップ装置に各機能を分散させることができる。例えば、複数の単波長のピックアップ装置がディスク装置内に装備されることにより、複数のディスクに対応したディスク装置が構成される。これにより、各ディスクに対応可能なディスク装置を提供することができる。また、このディスク装置は、複数のピックアップ装置を備えるものとされているので、例えばピックアップ装置から発せられた熱により、ピックアップ装置から出射されるレーザ光の波長が変化するということも、防止され易くなる。一ピックアップ装置や、他のピックアップ装置といった複数のピックアップ装置を備えるディスク装置とされているので、例えば使用中の一ピックアップ装置の温度が上昇し、定められた波長と異なる波長のレーザ光が一ピックアップ装置から発せられようとした場合、使用されていない他のピックアップ装置からレーザ光を出射させる。従って、他のピックアップ装置から、定められた波長のレーザ光が出射される。これにより、高品質な記録が可能とされたディスク装置を、ディスク装置の組立メーカや、ディスク装置の使用者などに提供することができる。また、複数のピックアップ装置を備えるディスク装置とされているので、例えばディスクに対するデータエラーが生じても、容易にデータエラーの回復を行うことができる。例えば、一ピックアップ装置が用いられてディスクのデータの読取り作業が行われているときに、一ピックアップ装置にデータの読取りエラーが発生しても、他のピックアップ装置にてデータ読取りを行うことができるので、一ピックアップ装置における読取りエラーは、他のピックアップ装置により回復させることができる。また、複数のピックアップ装置を備えるディスク装置とされていることから、可変速再生や逆再生などのトリック再生も実行可能なディスク装置とさせることができる。また、複数のピックアップ装置を備えるディスク装置とされているので、ディスクに対する多くのデータ処理を略同時に行うこともできる。また、複数のピックアップ装置を備えるディスク装置とされていることから、ディスクにおける多くのチャンネル分のデータを利用することができる。
【００２４】
請求項２記載の発明によれば、価格が抑えられたディスク装置を提供することができる。全ての種類のディスクに対応した単一のピックアップ装置は、設計、製造などの点において困難なものとされていることから、価格が高いものとなり易い。しかしながら、三つ以上のピックアップ装置がディスク装置に装備される場合、部品点数が増加すること等から、ディスク装置の価格を低い価格に抑えることは、困難なこととされる。二つのピックアップ装置が、ディスク装置本体内に配設されることにより、各種ディスクに対応可能とされたディスク装置を構成させることができると共に、価格が抑えられたディスク装置を提供することができる。また、二つのピックアップ装置がディスク装置本体内に配設されているので、例えば一つのピックアップ装置だけを備えるディスク装置に比べ、２倍のデータ処理を同時に行うことのできるディスク装置となる。また、二つのピックアップ装置を備えるディスク装置とされていることから、例えばディスクに記録された２チャンネル分のデータを同時に利用することができる。
【００２５】
請求項３記載の発明によれば、ディスク装置が甚だしく大型化されることは回避され、ディスク装置の大きさは、小型化された大きさのものとして維持される。ディスク装置本体が平面視されたときに、第一ピックアップ装置の移動方向に対し、第二ピックアップ装置の移動方向を異なる方向に設定することで、ディスク装置の設計の自由度を向上させることができる。これにより、ディスク装置の大きさが甚だしく大型化されることを回避でき、定められた大きさのディスク装置を構成させることができる。また、このようにすることで、例えばディスク回動時に発生する空気流が、ディスク装置本体内で循環され易くなることも期待される。
【００２６】
請求項４記載の発明によれば、ディスクに伝達される有害な振動は、軽減される。ディスク装置本体が平面視されたときに、第一ピックアップ装置の移動方向と、第二ピックアップ装置の移動方向とが同一方向に設定されている場合、例えばディスクを回動させるディスクドライブ装置は、第一ピックアップ装置と、第二ピックアップ装置との略中心に位置するレイアウト構造のものとなる。このようにすることで、ディスク装置本体内における各ピックアップ装置の配置構造は、バランスのとれたものとなる。従って、振動対策が行われたディスク装置を提供することができる。
【発明を実施するための最良の形態】
【００２７】
以下に本発明に係るディスク装置の実施の形態を図面に基づいて詳細に説明する。
【実施例１】
【００２８】
図１は、本発明に係るディスク装置の第一実施形態を示すものである。
【００２９】
ディスク装置１００が用いられて、ディスク４００に記録された情報などのデータが再生される。また、ディスク装置が用いられて、ディスク４００に情報などのデータの記録が行われる。ディスクとして、例えば、ＣＤ−ＲＯＭ，ＤＶＤ−ＲＯＭなどの読出し専用の光ディスクや、ＣＤ−Ｒ，ＤＶＤ−Ｒ，ＤＶＤ＋Ｒなどの追記型の光ディスクや、ＣＤ−ＲＷ，ＤＶＤ−ＲＷ，ＤＶＤ＋ＲＷ，ＤＶＤ−ＲＡＭ，ＨＤ−ＤＶＤ，Blu-ray Disc等の書込み／消去や書換え可能なタイプの光ディスクなどが挙げられる。
【００３０】
上述した如く、「ＣＤ」は、「Compact Disc」の略称とされる。また、「ＤＶＤ」は、「Digital Versatile Disc」もしくは「Digital Video Disc」の略称とされる。また、「ＣＤ−ＲＯＭ」もしくは「ＤＶＤ−ＲＯＭ」の「ＲＯＭ」は、「Read Only Memory」の略称とされ、ＣＤ−ＲＯＭもしくはＤＶＤ−ＲＯＭは、データ読出し専用のものとされている。また、「ＣＤ−Ｒ」または「ＤＶＤ−Ｒ」もしくは「ＤＶＤ＋Ｒ」の「Ｒ」は、「Recordable」の略称とされ、ＣＤ−ＲまたはＤＶＤ−ＲもしくはＤＶＤ＋Ｒは、データの書込みが可能なものとされている。また、「ＣＤ−ＲＷ」または「ＤＶＤ−ＲＷ」もしくは
「ＤＶＤ＋ＲＷ」の「ＲＷ」は、「ReWritable」の略称とされ、ＣＤ−ＲＷまたはＤＶＤ−ＲＷもしくはＤＶＤ＋ＲＷは、データの書換えが可能なものとされている。また、「ＤＶＤ−ＲＡＭ」は、「Digital Versatile Disc Random Access Memory 」の略称とされ、データの読み書き・消去が可能なものとされている。
【００３１】
また、「ＨＤ−ＤＶＤ」は、「High Definition DVD 」の略称とされる。「ＨＤ−ＤＶＤ」は、従来のＤＶＤ系列のものと互換性をもたせ、且つ、従来のＤＶＤ系列のディスクよりも記憶容量の大きいものとされる。従来のＣＤやＤＶＤには、赤色のレーザが用いられていたが、ＨＤ−ＤＶＤのディスクに記録されたデータが読み出されるときには、青紫色のレーザが用いられる。また、「Blu-ray 」とは、従来のＣＤやＤＶＤで信号の読み書きに用いられていた赤色のレーザに対し、高密度記録が実現されるために採用された青紫色のレーザを意味するものとされている。
【００３２】
図１に示す光ディスク装置１００は、光ディスク４００を回動させる光ディスクドライブ装置３０と、光ディスク４００に対してレーザ光を照射させることで、光ディスク４００に対しデータの読み書きが可能とされた光ピックアップ装置１０，２０とを備えるものとされている。
【００３３】
光ディスクドライブ装置３０は、光ディスク４００を回転駆動させるスピンドルモータ（図示せず）と、このスピンドルモータに取り付けられ光ディスク４００が装着されるターンテーブル３５とを少なくとも備えるものとして構成されている。
【００３４】
ターンテーブル３５に、データなどの情報が備えられる光ディスク４００が、着脱自在に取り付けられる。ターンテーブル３５に対して光ディスク４００が着脱されるときに、容易に光ディスク４００の取付け取外しが行われることが可能とされるために、ターンテーブル３５にチャッキング部３６が設けられている。チャッキング部３６が用いられてターンテーブル３５に装着された光ディスク４００は、ターンテーブル３５を備えるスピンドルモータ（図示せず）によって回転させられる。
【００３５】
光ピックアップ装置１０，２０は、光ディスク４００に対してレーザ光を照射させることで、光ディスク４００に対しデータの読み書きを可能とさせた光ピックアップ本体１と、光ピックアップ本体１を光ディスクの半径方向に沿って精度よく移動可能とさせる一対のガイド軸９Ｉ，９IIとを備えるものとして構成されている。
【００３６】
光ピックアップ装置１０，２０を構成する光ピックアップ本体１は、光信号などにより、光ディスク４００に記録されたデータなどの情報を読取り可能なものとされている。また、光ピックアップ装置１０，２０を構成する光ピックアップ本体１は、データなどの情報を光ディスク４００に記録可能なものとされている。
【００３７】
この光ピックアップ本体１は、不図示のレーザダイオードから出射されたレーザ光を光ディスク４００に集光させるレンズ５と、レンズ５を保持するレンズホルダ４と、ディスク４００に対しレンズ５のフォーカス方向またはトラッキング方向にレンズホルダ４を駆動させるための電気や信号が入出力されるコネクタ７と、前記レーザダイオードと、前記レンズ５と、前記レンズホルダ４と、前記コネクタ７とが装備されるハウジング２とを備えるものとして構成されている。
【００３８】
光ピックアップ装置１０，２０を構成する光ピックアップ本体１は、送りモータ（図示せず）により、光ピックアップ装置１０，２０を構成する一対のガイド軸９Ｉ，９IIに沿って移動する。光ピックアップ装置１０，２０を構成する光ピックアップ本体１は、ステッピングモータ（図示せず）などのモータにより、光ディスクの半径方向に沿って駆動す
る。また、光ピックアップ装置１０，２０を構成する光ピックアップ本体１のレンズホルダ４は、光ディスク４００に対し、レンズ５のフォーカス方向およびトラッキング方向に動作可能なものとされている。
【００３９】
各ガイド軸９Ｉ，９IIは、金属製の真直ぐな円柱状のものとして形成されている。第一ガイド軸９Ｉと、第二ガイド軸９IIとは、平行に配設されている。第一ガイド軸９Ｉと、第二ガイド軸９IIとは、精度よく平行に配置されている。
【００４０】
一対の金属製ガイド軸９Ｉ，９IIに対応して、光ピックアップ本体１を構成する金属製ハウジング２に、一対のガイド部２Ｉ，２IIが設けられている。光ピックアップ本体１を構成するハウジング２の第一ガイド部２Ｉに、第一ガイド軸９Ｉが合せられている。また、光ピックアップ本体１を構成するハウジング２の第二ガイド部２IIに、第二ガイド軸９IIが合せられている。
【００４１】
略矩形箱状の合成樹脂製筐体１２０に、上記光ディスクドライブ装置３０と、上記光ピックアップ装置１０，２０とが収容されることで、光ディスク装置本体１５０が構成される。また、光ディスク４００は、光ディスク装置本体１５０に対して出入り可能なトレー（図示せず）に備えられて、光ディスク装置本体１５０内に収容される。
【００４２】
複数の規格の光ディスクに対応して、光ディスク４００が収容される光ディスク装置本体１５０に、複数の光ピックアップ装置１０，２０が装備されている。
【００４３】
これにより、各規格の光ディスクに対応可能な光ディスク装置１００が構成される。光ディスク４００が収容される光ディスク装置本体１５０に、複数の光ピックアップ装置１０，２０が装備されているので、多くの機能が一つの光ピックアップ装置に集約されるということは回避される。従って、各光ピックアップ装置１０，２０に各機能を分散させることができる。
【００４４】
例えば、複数の単波長の光ピックアップ装置（１０，２０）が光ディスク装置（１００）内に装備されることにより、複数の光ディスク（４００）に対応した光ディスク装置（１００）が構成される。例えば、ローコストとされる単波長の各光ピックアップ装置（１０，２０）が組み合わせられて、光ディスク装置本体（１５０）内に取り付けられることにより、マルチドライブ化が実現された光ディスク装置（１００）が構成されることとなる。これにより、各規格の光ディスクに対応可能な光ディスク装置（１００）を、光ディスク装置（１００）の組立メーカや、光ディスク装置（１００）の使用者などに提供することができる。
【００４５】
また、この光ディスク装置１００は、複数の光ピックアップ装置１０，２０を備えるものとされているので、例えば光ピックアップ装置１０，２０のレーザダイオード（図示せず）から発せられた熱により、光ピックアップ装置１０，２０のレーザダイオードから出射されるレーザ光の波長が変化するということも、防止され易くなる。
【００４６】
一光ピックアップ装置１０や、他の光ピックアップ装置２０といった複数の光ピックアップ装置１０，２０を備える光ディスク装置１００とされているので、例えば使用中の一光ピックアップ装置１０の温度が上昇し、定められた波長と異なる波長のレーザ光が一光ピックアップ装置１０のレーザダイオードから発せられようとした場合、その光ピックアップ装置１０からレーザ光を出射させることを中断させ、使用されていない他の光ピックアップ装置２０のレーザダイオードからレーザ光を出射させる。従って、他の光ピックアップ装置２０のレーザダイオードから、定められた波長のレーザ光が出射される。レーザ光は、一光ピックアップ装置１０のレーザダイオードから他の光ピックアップ装置２０の
レーザダイオードに切り換えられて、出射され続ける。
【００４７】
次に、使用中の他の光ピックアップ装置２０の温度が上昇し、定められた波長と異なる波長のレーザ光が他の光ピックアップ装置２０のレーザダイオードから発せられようとした場合、他の光ピックアップ装置２０からレーザ光を出射させることを中断させ、休止させている一光ピックアップ装置１０のレーザダイオードからレーザ光を出射させる。従って、一光ピックアップ装置１０のレーザダイオードから、定められた波長のレーザ光が出射される。レーザ光は、他の光ピックアップ装置２０のレーザダイオードから一光ピックアップ装置１０のレーザダイオードに切り換えられて、出射され続ける。このようなことが繰り返されて、各光ピックアップ装置１０，２０から交互にレーザ光が出射される。
【００４８】
各光ピックアップ装置１０，２０が交互に使用されると共に休止状態とされる。熱せられた光ピックアップ装置１０，２０のレーザダイオードが冷まされてから、休止状態の光ピックアップ装置２０，１０が再び使用される。このようにすることで、高品質な記録が可能とされた光ディスク装置１００を、光ディスク装置１００の組立メーカや、光ディスク装置１００の使用者などに提供することができる。
【００４９】
また、複数の光ピックアップ装置１０，２０を備える光ディスク装置１００とされているので、例えば光ディスク４００に対するデータエラーが生じても、容易にデータエラーの回復を行うことができる。例えば、一光ピックアップ装置１０が用いられて、光ディスク４００のデータの読取り作業が行われているときに、一光ピックアップ装置１０にデータの読取りエラーが発生しても、他の光ピックアップ装置２０にてデータ読取りを行うことができるので、一光ピックアップ装置１０における読取りエラーは、他の光ピックアップ装置２０により回復させることができる。
【００５０】
また、他の光ピックアップ装置２０が用いられて、光ディスク４００のデータの読取り作業が行われているときに、他の光ピックアップ装置２０にデータの読取りエラーが発生しても、一光ピックアップ装置１０にてデータ読取りを行うことが可能とされているので、他の光ピックアップ装置２０における読取りエラーは、一光ピックアップ装置１０により回復させることができる。このように、複数の光ピックアップ装置１０，２０が補佐し合うことにより、光ディスク４００のデータの読取り作業が行われているときのデータの読取りエラーは、リカバリされる。
【００５１】
また、複数の光ピックアップ装置１０，２０を備える光ディスク装置１００とされていることから、可変速再生や逆再生などのトリック再生も実行可能な光ディスク装置１００とさせることができる。また、複数の光ピックアップ装置１０，２０を備える光ディスク装置１００とされているので、光ディスク４００に対する多くのデータ処理を略同時に行うこともできる。また、複数の光ピックアップ装置１０，２０を備える光ディスク装置１００とされていることから、光ディスク４００における多くのチャンネル分のデータを利用することができる。
【００５２】
二つの光ピックアップ装置１０，２０が、光ディスク装置本体１５０内に配設されている。
【００５３】
光ピックアップ装置１０，２０の数を二つにすることにより、価格が抑えられた光ディスク装置１００を、光ディスク装置１００の組立メーカや、光ディスク装置１００の使用者などに提供することができる。全ての種類の光ディスクに対応した単一の光ピックアップ装置は、現時点において、設計、製造などの点において困難なものとされていることから、価格が高いものとなり易い。しかしながら、三つ以上の光ピックアップ装置が光ディスク装置に装備される場合、部品点数が増加すること等から、光ディスク装置の価格を低
い価格に抑えることは、困難なこととされる。
【００５４】
二つの光ピックアップ装置１０，２０が、光ディスク装置本体１５０内に配設されることにより、各種光ディスクに対応可能とされた光ディスク装置１００を構成させることができると共に、価格が抑えられた光ディスク装置１００を、光ディスク装置１００の組立メーカや、光ディスク装置１００の使用者などに提供することができる。
【００５５】
また、二つの光ピックアップ装置１０，２０が光ディスク装置本体１５０内に配設されているので、例えば一つの光ピックアップ装置だけを備える光ディスク装置に比べ、２倍のデータ処理を同時に行うことが可能とされた光ディスク装置１００となる。また、二つの光ピックアップ装置１０，２０を備える光ディスク装置１００とされていることから、例えば光ディスク４００に記録された２チャンネル分のデータを、同時に利用することができる。
【００５６】
複数の光ピックアップ装置１０，２０は、第一光ピックアップ装置１０と、第二光ピックアップ装置２０とされている。第一光ピックアップ装置１０と、第二光ピックアップ装置２０とは、光ディスク４００の半径方向に沿って移動可能とされている。光ディスク装置本体１５０の内部１６０が平面視されたときに、第一光ピックアップ装置１０の移動方向に対し、第二光ピックアップ装置２０の移動方向は、異なる方向に設定されている。
【００５７】
詳しく説明すると、光ディスク装置本体１５０の内部１６０が平面視されたときに、第一光ピックアップ装置１０の移動方向に対し、第二光ピックアップ装置２０の移動方向は、略直交する方向に設定されている。より詳しく説明すると、光ディスク装置本体１５０の内部１６０が平面視されたときに、第一光ピックアップ装置１０の移動方向と、第二光ピックアップ装置２０の移動方向とが略Ｖ字状となるように、光ディスク装置本体１５０内に、第一光ピックアップ装置１０と、第二光ピックアップ装置２０とが配設されている。
【００５８】
また、光ディスク装置１００の内部１６０が平面視されたときに、光ディスク４００を回転駆動させる光ディスクドライブ装置３０のターンテーブル３５は、光ディスク装置本体１５０の略中央部１９０よりも前側に偏って位置するものとされている。
【００５９】
このように、各光ピックアップ装置１０，２０と、光ディスクドライブ装置３０とが光ディスク装置本体１５０内に配置されることにより、光ディスク装置１００が甚だしく大型化されることは回避され、光ディスク装置１００の大きさは、小型化された大きさのものとして維持される。光ディスク装置本体１５０の内部１６０が平面視されたときに、第一光ピックアップ装置１０の移動方向に対し、第二光ピックアップ装置２０の移動方向を異なる方向に設定することで、光ディスク装置１００の設計の自由度は、向上する。これにより、光ディスク装置１００の大きさが甚だしく大型化されることは回避され、定められた大きさの光ディスク装置１００が構成される。また、このようにすることで、例えば光ディスク４００の回転駆動時に発生する空気流が、光ディスク装置本体１５０内で循環され易くなることも期待される。
【００６０】
上記光ディスク装置は、例えば、デスクトップ型パーソナルコンピュータや、ノート型パーソナルコンピュータなどの各種パーソナルコンピュータ（何れも図示せず）に装備可能なものとされる。デスクトップ型コンピュータは、卓上型のコンピュータとされ、机の上で使用可能なコンピュータとされているが、容易に持運びができないタイプのものとされている。
【００６１】
デスクトップ型パーソナルコンピュータに対し、ノート型パーソナルコンピュータは、
軽量化、軽薄化が要求されることから、スリム型ドライブが装備されたディスク装置を備える構造のものとされている。ノート型のパーソナルコンピュータは、デスクトップ型のパーソナルコンピュータと異なる構造のものとされている。ノート型のパーソナルコンピュータは、ディスプレイと、パーソナルコンピュータ本体とが、一体構造のものとされ、パーソナルコンピュータ本体に対し、ディスプレイが折りたたまれることで、薄型サイズのものとなる。ノート型のパーソナルコンピュータは、このものが平面視されたときに略Ａ４判もしくはこれ以下の大きさの汎用パーソナルコンピュータとされ、ブック型パーソナルコンピュータとも呼ばれている。
【００６２】
不図示のトレーが出入り自在に装着された光ディスク装置本体１５０は、デスクトップ型パーソナルコンピュータ（図示せず）に装備可能なものとされている。デスクトップ型パーソナルコンピュータ用の光ディスク装置本体１５０の筐体１２０は、内部１６０のスペースにある程度の余裕があるので、光ディスク装置本体１５０の筐体１２０内における各部品のレイアウトを調整することで、筐体１２０内に、複数の光ピックアップ装置１０，２０を収容させることができる。
【００６３】
このような構造の光ディスク装置１００が構成されていれば、各規格のディスクに対応可能なデスクトップ型パーソナルコンピュータ用光ディスク装置１００の提供が可能となる。また、光ディスク４００に対し、データの読み書きが正しく迅速に実行可能なデスクトップ型パーソナルコンピュータ用光ディスク装置１００を、光ディスク装置１００の組立メーカや光ディスク装置１００の使用者などに提供することができる。
【実施例２】
【００６４】
図２は、本発明に係るディスク装置の第二実施形態を示すものである。
【００６５】
図２に関するものおいて、図１で説明したものと同じものについては、その詳細な説明を省略した。
【００６６】
この光ディスク装置２００は、光ディスク４００を回動させる光ディスクドライブ装置８０と、光ディスク４００に対してレーザ光を照射させることで、光ディスク４００に対しデータの読み書きが可能とされた光ピックアップ装置６０，７０とを備えるものとされている。
【００６７】
光ディスクドライブ装置８０は、光ディスク４００を回転駆動させるスピンドルモータ（図示せず）と、このスピンドルモータに取り付けられ光ディスク４００が装着されるターンテーブル８５とを少なくとも備えるものとして構成されている。
【００６８】
ターンテーブル８５に、データなどの情報が備えられる光ディスク４００が、着脱自在に取り付けられる。ターンテーブル８５に対して光ディスク４００が着脱されるときに、容易に光ディスク４００の取付け取外しが行われることが可能とされるために、ターンテーブル８５にチャッキング部８６が設けられている。チャッキング部８６が用いられてターンテーブル８５に装着された光ディスク４００は、ターンテーブル８５を備えるスピンドルモータ（図示せず）によって回転させられる。
【００６９】
光ピックアップ装置６０，７０は、光ディスク４００に対してレーザ光を照射させることで、光ディスク４００に対しデータの読み書きを可能とさせた光ピックアップ本体５１と、光ピックアップ本体５１を光ディスクの半径方向に沿って精度よく移動可能とさせる一対のガイド軸５９Ｉ，５９IIとを備えるものとして構成されている。
【００７０】
光ピックアップ装置６０，７０を構成する光ピックアップ本体５１は、光信号などによ
り、光ディスク４００に記録されたデータなどの情報を読取り可能なものとされている。また、光ピックアップ装置６０，７０を構成する光ピックアップ本体５１は、データなどの情報を光ディスク４００に記録可能なものとされている。
【００７１】
この光ピックアップ本体５１は、不図示のレーザダイオードから出射されたレーザ光を光ディスク４００に集光させるレンズ５５と、レンズ５５を保持するレンズホルダ５４と、ディスク４００に対しレンズ５５のフォーカス方向またはトラッキング方向にレンズホルダ５４を駆動させるための電気や信号が入出力されるコネクタ５７と、前記レーザダイオードと、前記レンズ５５と、前記レンズホルダ５４と、前記コネクタ５７とが装備されるハウジング５２とを備えるものとして構成されている。
【００７２】
光ピックアップ装置６０，７０を構成する光ピックアップ本体５１は、送りモータ（図示せず）により、光ピックアップ装置６０，７０を構成する一対のガイド軸５９Ｉ，５９IIに沿って移動する。光ピックアップ装置６０，７０を構成する光ピックアップ本体５１は、ステッピングモータ（図示せず）などのモータにより、光ディスクの半径方向に沿って駆動する。また、光ピックアップ装置６０，７０を構成する光ピックアップ本体５１のレンズホルダ５４は、光ディスク４００に対し、レンズ５５のフォーカス方向およびトラッキング方向に動作可能なものとされている。
【００７３】
各ガイド軸５９Ｉ，５９IIは、金属製の真直ぐな円柱状のものとして形成されている。第一ガイド軸５９Ｉと、第二ガイド軸５９IIとは、平行に配設されている。第一ガイド軸５９Ｉと、第二ガイド軸５９IIとは、精度よく平行に配置されている。
【００７４】
一対の金属製ガイド軸５９Ｉ，５９IIに対応して、光ピックアップ本体５１を構成する金属製ハウジング５２に、一対のガイド部５２Ｉ，５２IIが設けられている。光ピックアップ本体５１を構成するハウジング５２の第一ガイド部５２Ｉに、第一ガイド軸５９Ｉが合せられている。また、光ピックアップ本体５１を構成するハウジング５２の第二ガイド部５２IIに、第二ガイド軸５９IIが合せられている。
【００７５】
略矩形箱状の合成樹脂製筐体２２０に、上記光ディスクドライブ装置８０と、上記光ピックアップ装置６０，７０とが収容されることで、光ディスク装置本体２５０が構成される。また、光ディスク４００は、光ディスク装置本体２５０に対して出入り可能なトレー（図示せず）に備えられて、光ディスク装置本体２５０内に収容される。
【００７６】
複数の規格の光ディスクに対応して、光ディスク４００が収容される光ディスク装置本体２５０に、複数の光ピックアップ装置６０，７０が装備されている。
【００７７】
これにより、各規格の光ディスクに対応可能な光ディスク装置２００が構成される。光ディスク４００が収容される光ディスク装置本体２５０に、複数の光ピックアップ装置６０，７０が装備されているので、多くの機能が一つの光ピックアップ装置に集約されるということは回避される。従って、各機能は、各光ピックアップ装置６０，７０に分散される。
【００７８】
例えば、複数の単波長の光ピックアップ装置（６０，７０）が光ディスク装置（２００）内に装備されることにより、複数の光ディスク（４００）に対応した光ディスク装置（２００）が構成される。例えば、ローコストとされる単波長の各光ピックアップ装置（６０，７０）が組み合わせられて、光ディスク装置本体（２５０）内に取り付けられることにより、マルチドライブ化が実現された光ディスク装置（２００）が構成されることとなる。これにより、光ディスク装置（２００）の組立メーカや、光ディスク装置（２００）の使用者などに対し、各規格の光ディスクに対応可能な光ディスク装置（２００）が提供
される。
【００７９】
また、この光ディスク装置２００は、複数の光ピックアップ装置６０，７０を備えるものとされているので、例えば光ピックアップ装置６０，７０のレーザダイオード（図示せず）から発せられた熱により、光ピックアップ装置６０，７０のレーザダイオードから出射されるレーザ光の波長が変化するということも、防止され易くなる。
【００８０】
一光ピックアップ装置６０や、他の光ピックアップ装置７０といった複数の光ピックアップ装置６０，７０を備える光ディスク装置２００とされているので、例えば使用中の一光ピックアップ装置６０の温度が上昇し、定められた波長と異なる波長のレーザ光が一光ピックアップ装置６０のレーザダイオードから発せられようとした場合、その光ピックアップ装置６０からレーザ光を出射させることを中断させ、使用されていない他の光ピックアップ装置７０のレーザダイオードからレーザ光を出射させる。従って、他の光ピックアップ装置７０のレーザダイオードから、定められた波長のレーザ光が出射される。レーザ光は、一光ピックアップ装置６０のレーザダイオードから他の光ピックアップ装置７０のレーザダイオードに切り換えられて、出射され続ける。
【００８１】
次に、使用中の他の光ピックアップ装置７０の温度が上昇し、定められた波長と異なる波長のレーザ光が他の光ピックアップ装置７０のレーザダイオードから発せられようとした場合、他の光ピックアップ装置７０からレーザ光を出射させることを中断させ、休止させている一光ピックアップ装置６０のレーザダイオードからレーザ光を出射させる。従って、一光ピックアップ装置６０のレーザダイオードから、定められた波長のレーザ光が出射される。レーザ光は、他の光ピックアップ装置７０のレーザダイオードから一光ピックアップ装置６０のレーザダイオードに切り換えられて、出射され続ける。このようなことが繰り返されて、各光ピックアップ装置６０，７０から交互にレーザ光が出射される。
【００８２】
各光ピックアップ装置６０，７０が交互に使用されると共に休止状態とされる。熱せられた光ピックアップ装置６０，７０のレーザダイオードが冷まされてから、休止状態の光ピックアップ装置７０，６０が再び使用される。このようにすることで、光ディスク装置２００の組立メーカや、光ディスク装置２００の使用者などに対し、高品質な記録が可能とされた光ディスク装置２００が提供される。
【００８３】
また、複数の光ピックアップ装置６０，７０を備える光ディスク装置２００とされているので、例えば光ディスク４００に対するデータエラーが生じても、容易にデータエラーの回復が行われる。例えば、一光ピックアップ装置６０が用いられて、光ディスク４００のデータの読取り作業が行われているときに、一光ピックアップ装置６０にデータの読取りエラーが発生しても、他の光ピックアップ装置７０にてデータ読取りを行うことが可能とされているので、一光ピックアップ装置６０における読取りエラーは、他の光ピックアップ装置７０により回復される。
【００８４】
また、他の光ピックアップ装置７０が用いられて、光ディスク４００のデータの読取り作業が行われているときに、他の光ピックアップ装置７０にデータの読取りエラーが発生しても、一光ピックアップ装置６０にてデータ読取りを行うことが可能とされているので、他の光ピックアップ装置７０における読取りエラーは、一光ピックアップ装置６０により回復される。このように、複数の光ピックアップ装置６０，７０が補佐し合うことにより、光ディスク４００のデータの読取り作業が行われているときのデータの読取りエラーは、リカバリされる。
【００８５】
また、複数の光ピックアップ装置６０，７０を備える光ディスク装置２００とされていることから、可変速再生や逆再生などのトリック再生も実行可能な光ディスク装置２００
となる。また、複数の光ピックアップ装置６０，７０を備える光ディスク装置２００とされているので、光ディスク４００に対する多くのデータ処理を略同時に行うことも可能とされる。また、複数の光ピックアップ装置６０，７０を備える光ディスク装置２００とされていることから、光ディスク４００における多くのチャンネル分のデータが利用可能とされる。
【００８６】
二つの光ピックアップ装置６０，７０が、光ディスク装置本体２５０内に配設されている。
【００８７】
光ピックアップ装置６０，７０の数を二つにすることにより、光ディスク装置２００の組立メーカや、光ディスク装置２００の使用者などに対し、価格が抑えられた光ディスク装置２００の提供が可能となる。全ての種類の光ディスクに対応した単一の光ピックアップ装置は、現時点において、設計、製造などの点において困難なものとされていることから、価格が高いものとなり易い。しかしながら、三つ以上の光ピックアップ装置が光ディスク装置に装備される場合、部品点数が増加すること等から、光ディスク装置の価格を低い価格に抑えることは、困難なこととされる。
【００８８】
二つの光ピックアップ装置６０，７０が、光ディスク装置本体２５０内に配設されることにより、各種光ディスクに対応可能とされた光ディスク装置２００が構成されると共に、価格が抑えられた光ディスク装置２００が、光ディスク装置２００の組立メーカや、光ディスク装置２００の使用者などに提供されることとなる。
【００８９】
また、二つの光ピックアップ装置６０，７０が光ディスク装置本体２５０内に配設されているので、例えば一つの光ピックアップ装置だけを備える光ディスク装置に比べ、２倍のデータ処理を同時に行うことが可能とされた光ディスク装置２００となる。また、二つの光ピックアップ装置６０，７０を備える光ディスク装置２００とされていることから、例えば光ディスク４００に記録された２チャンネル分のデータは、同時に利用可能となる。
【００９０】
複数の光ピックアップ装置６０，７０は、第一光ピックアップ装置６０と、第二光ピックアップ装置７０とされている。第一光ピックアップ装置６０と、第二光ピックアップ装置７０とは、光ディスク４００の半径方向に沿って移動可能とされている。光ディスク装置本体２５０の内部２６０が平面視されたときに、第一光ピックアップ装置６０の移動方向と、第二光ピックアップ装置７０の移動方向とは、同一方向に設定されている。詳しく説明すると、光ディスク装置本体２５０の内部２６０が平面視されたときに、第一光ピックアップ装置６０の移動方向と、第二光ピックアップ装置７０の移動方向とが、略一直線状とされて略Ｉ字状となるように、光ディスク装置本体２５０内に、第一光ピックアップ装置６０と、第二光ピックアップ装置７０とが配設されている。
【００９１】
また、第一光ピックアップ装置６０と、第二光ピックアップ装置７０との間に、光ディスク４００を回動させる光ディスクドライブ装置８０が設置されている。光ディスク装置２００の内部２６０が平面視されたときに、光ディスク４００を回転駆動させる光ディスクドライブ装置８０のターンテーブル８５は、光ディスク装置本体２５０の略中央部２９０に位置するものとされている。
【００９２】
このように、各光ピックアップ装置６０，７０と、光ディスクドライブ装置８０とが光ディスク装置本体２５０内に配置されることにより、光ディスク４００に伝達される有害な振動は、軽減される。光ディスク装置本体２５０の内部２６０が平面視されたときに、第一光ピックアップ装置６０の移動方向と、第二光ピックアップ装置７０の移動方向とが同一方向に設定され、且つ、第一光ピックアップ装置６０の移動方向と、第二光ピックア
ップ装置７０の移動方向とが、略一直線状とされて略Ｉ字状となるように、光ディスク装置本体２５０内に、第一光ピックアップ装置６０と、第二光ピックアップ装置７０とが配設されている場合、光ディスク４００を回転駆動させる光ディスクドライブ装置８０は、第一トラバースメカとされる第一光ピックアップ装置６０と、第二トラバースメカとされる第二光ピックアップ装置７０との略中心に位置するレイアウト構造のものとなる。このようにすることで、光ディスク装置本体２５０内における各光ピックアップ装置６０，７０の配置構造は、バランスのとれたものとなる。従って、光ディスク装置２００の組立メーカや、光ディスク装置２００の使用者などに対し、振動対策が行われた光ディスク装置２００の提供が可能となる。
【００９３】
上記光ディスク装置は、例えば、デスクトップ型パーソナルコンピュータや、ノート型パーソナルコンピュータなどの各種パーソナルコンピュータ（何れも図示せず）に装備可能なものとされる。
【００９４】
不図示のトレーが出入り自在に装着された光ディスク装置本体２５０は、デスクトップ型パーソナルコンピュータ（図示せず）に装備可能なものとされている。デスクトップ型パーソナルコンピュータ用の光ディスク装置本体２５０の筐体２２０は、内部２６０のスペースにある程度の余裕があるので、光ディスク装置本体２５０の筐体２２０内におけるの各部品のレイアウトを調整することで、筐体２２０内に、複数の光ピックアップ装置６０，７０を収容させることができる。
【００９５】
このような構造の光ディスク装置２００が構成されていれば、各規格のディスクに対応可能なデスクトップ型パーソナルコンピュータ用光ディスク装置２００の提供が可能となる。また、光ディスク４００に対し、データの読み書きが正しく迅速に実行可能なデスクトップ型パーソナルコンピュータ用光ディスク装置２００を、光ディスク装置２００の組立メーカや光ディスク装置２００の使用者などに提供することができる。
【００９６】
上記ディスク装置は、例えば、ノート型パーソナルコンピュータや、デスクトップ型パーソナルコンピュータなどのパーソナルコンピュータや、ＣＤプレーヤなどの音響機器や、ＤＶＤプレーヤなどの音響／映像機器などに装備可能なものとされる。また、上記光ディスク装置は、ＣＤ系光ディスクや、ＤＶＤ系光ディスク等の複数のメディアに対応可能なものとされる。本発明のディスク装置は、図示されたものに限定されるものではない。本発明のものは、その要旨を逸脱しない範囲において、種々変更可能なものとされる。
【図面の簡単な説明】
【００９７】
【図１】本発明に係るディスク装置の第一実施形態を示す説明図である。
【図２】本発明に係るディスク装置の第二実施形態を示す説明図である。
【図３】従来のディスク装置の一形態を示す斜視図である。
【符号の説明】
【００９８】
１，５１        光ピックアップ本体（ピックアップ本体）
２，５２        ハウジング
２Ｉ，５２Ｉ    第一ガイド部（ガイド部）
２II，５２II    第一ガイド部（ガイド部）
４，５４        レンズホルダ
５，５５        レンズ
７，５７        コネクタ
９Ｉ，５９Ｉ    第一ガイド軸（ガイド軸）
９II，５９II    第二ガイド軸（ガイド軸）
１０，６０      第一ピックアップ装置（ピックアップ装置）
２０，７０      第二ピックアップ装置（ピックアップ装置）
３０，８０      光ディスクドライブ装置（ディスクドライブ装置）
３５，８５      ターンテーブル
３６，８６      チャッキング部
１００，２００  光ディスク装置（ディスク装置）
１２０，２２０  筐体
１５０，２５０  光ディスク装置本体（ディスク装置本体）
１６０，２６０  内部
１９０，２９０  中央部
４００          光ディスク（ディスク）
【図１】
2006099818.tif 000003
【図２】
2006099818.tif 000004
【図３】
2006099818.tif 000005